(57)【要約】【課題】位置情報で特定できるよりも高い精度でユーザが目標に到達することを可能にする無線通信装置を提供する。【解決手段】無線通信装置は、取得手段、無線通信手段、および処理手段を有する。取得手段は、自装置の位置を示す自装置位置情報を取得する。無線通信手段は、他装置から受信される無線信号の受信信号強度を測定する。処理手段は、自装置位置情報と目標位置を示す目標位置情報とに基づいて算出される自装置と目標位置の距離である第１の距離が第１の閾値以下と判定した後、受信信号強度に基づいて算出される自装置と他装置との距離である第２の距離に基づく提示情報を提示する。【選択図】図１
2012175341.tif 000002
【特許請求の範囲】
【請求項１】
自装置の位置を示す自装置位置情報を取得する取得手段と、
他装置から受信される無線信号の受信信号強度を測定する無線通信手段と、
前記自装置位置情報と目標位置を示す目標位置情報とに基づいて算出される前記自装置と前記目標位置の距離である第１の距離が第１の閾値以下と判定した後、前記受信信号強度に基づいて算出される前記自装置と前記他装置との距離である第２の距離に基づく提示情報を提示する処理手段と、を有する無線通信装置。
【請求項２】
前記処理手段は、定期的に前記第２の距離を算出して、今回算出した第２の距離と前回算出した第２の距離を比較し、前記自装置と前記他装置が前回よりも近づいたか、遠ざかったかを提示する、
請求項１に記載の無線通信装置。
【請求項３】
前記処理手段は、前記第２の距離が第２の閾値以下であれば前記自装置と前記他装置が出会ったことを提示する、
請求項１または２に記載の無線通信装置。
【請求項４】
前記処理手段は、前記他装置が前記無線信号を送出する送信信号強度と前記受信信号強度とに基づいて前記第２の距離を算出し、該送信信号強度に基づいて前記第２の閾値を決定する、
請求項３に記載の無線通信装置。
【請求項５】
前記他装置が前記自装置と同じ構成の無線通信装置である、請求項１から４のいずれか一項に記載の無線通信装置。
【請求項６】
前記処理手段は、前記第１の距離が前記第１の閾値以下と判定すると、前記無線通信手段を起動する、請求項１から５のいずれか一項に記載の無線通信装置。
【請求項７】
前記処理手段は、前記第１の距離が前記第１の閾値以下と判定すると、前記無線通信手段を起動して最も電界強度の強い第１のアクセスポイントにアクセスさせ、該第１のアクセスポイントと前記他装置がアクセスしている第２のアクセスポイントとが同じであれば、前記第２の距離に基づく提示情報を提示し、前記第１のアクセスポイントと前記第２のアクセスポイントが異なれば、前記第１のアクセスポイントと前記第２のアクセスポイントの位置関係に基づいて前記自装置を前記第２のアクセスポイントに近づけるための提示情報を提示する、請求項１から６のいずれか一項に記載の無線通信装置。
【請求項８】
自装置の位置を示す自装置位置情報を取得し、
前記自装置位置情報と目標位置を示す目標位置情報とに基づいて算出される前記自装置と前記目標位置の距離である第１の距離が第１の閾値以下か否か判定し、
他装置から受信される無線信号の受信信号強度を測定し、
前記第１の距離が前記第１の閾値以下と判定された後、前記受信信号強度に基づいて算出される前記自装置と前記他装置の距離である第２の距離に基づく提示情報を提示する、
無線通信装置の制御方法。
【請求項９】
自装置の位置を示す自装置位置情報を取得する手順と、
前記自装置位置情報と目標位置を示す目標位置情報とに基づいて算出される前記自装置と前記目標位置の距離である第１の距離が第１の閾値以下か否か判定する手順と、
前記他装置から受信される無線信号の受信信号強度を測定する手順と、
前記第１の距離が前記第１の閾値以下と判定された後、前記受信信号強度に基づいて算出される前記自装置と前記他装置の距離である第２の距離に基づく提示情報を提示する手順と、をコンピュータに実行させるためのプログラム。
【発明の詳細な説明】
【技術分野】
【０００１】
本発明は、無線通信装置のユーザの移動行動を支援するための技術に関する。
【背景技術】
【０００２】
移動通信システムにおいてＧＰＳ（Ｇｌｏｂａｌ  Ｐｏｓｉｔｉｏｎｉｎｇ  Ｓｙｓｔｅｍ）で取得した位置情報を基に携帯端末のユーザ同士の待ち合わせを支援する方法が提案されている（特許文献１参照）。
【０００３】
しかしながら、現状ではＧＰＳを用いて得られる位置情報の誤差は約１０ｍ程度である。そのため、非常に混雑した人混みでは、ユーザがある程度待ち合わせ相手や目的の場所に近づいても、更に、待ち合わせ相手や目的の場所を特定するのが困難な場合がある。
【０００４】
また、ユーザが紛失した携帯端末の捜索を支援するための技術として特許文献２に開示された技術がある。捜索される側の端末装置と捜索する側の端末装置が１対１で直接無線通信し、電界強度から算出した距離をユーザに提示することで捜索を支援する。
【０００５】
しかしながら、特許文献２の技術は、捜索される側の端末装置と捜索する側の端末装置が直接無線通信を行うものなので、それらが、ある程度、近づいてからでないと利用することができない。
【先行技術文献】
【特許文献】
【０００６】
【特許文献１】特開２００２−２３２９４７号公報
【特許文献２】特開２００６−０８１０３６号公報
【発明の概要】
【発明が解決しようとする課題】
【０００７】
上述のように現状ではＧＰＳの精度に限界があるため、位置情報を利用した支援では、人混みで待ち合わせ相手や目的の場所を特定するのが困難な場合がある。
【０００８】
本発明の目的は、位置情報で特定できるよりも高い精度でユーザが目標に到達することを可能にする無線通信装置を提供することである。
【課題を解決するための手段】
【０００９】
上記目的を達成するために、本発明の無線通信装置は、
自装置の位置を示す自装置位置情報を取得する取得手段と、
他装置から受信される無線信号の受信信号強度を測定する無線通信手段と、
前記自装置位置情報と目標位置を示す目標位置情報とに基づいて算出される前記自装置と前記目標位置の距離である第１の距離が第１の閾値以下と判定した後、前記受信信号強度に基づいて算出される前記自装置と前記他装置との距離である第２の距離に基づく提示情報を提示する処理手段と、を有する。
【００１０】
本発明の無線通信装置の制御方法は、
自装置の位置を示す自装置位置情報を取得し、
前記自装置位置情報と目標位置を示す目標位置情報とに基づいて算出される前記自装置と前記目標位置の距離である第１の距離が第１の閾値以下か否か判定し、
他装置から受信される無線信号の受信信号強度を測定し、
前記第１の距離が前記第１の閾値以下と判定された後、前記受信信号強度に基づいて算出される前記自装置と前記他装置の距離である第２の距離に基づく提示情報を提示するというものである。
【００１１】
本発明のプログラムは、
自装置の位置を示す自装置位置情報を取得する手順と、
前記自装置位置情報と目標位置を示す目標位置情報とに基づいて算出される前記自装置と前記目標位置の距離である第１の距離が第１の閾値以下か否か判定する手順と、
前記他装置から受信される無線信号の受信信号強度を測定する手順と、
前記第１の距離が前記第１の閾値以下と判定された後、前記受信信号強度に基づいて算出される前記自装置と前記他装置の距離である第２の距離に基づく提示情報を提示する手順と、をコンピュータに実行させるためのプログラムである。
【発明の効果】
【００１２】
本発明の効果として、位置情報で特定できるよりも高い精度の支援でユーザが目標に到達することが可能になる。
【図面の簡単な説明】
【００１３】
【図１】第１の実施形態の無線通信装置の構成を示すブロック図である。
【図２】第２の実施形態の無線通信システムの構成を示すブロック図である。
【図３】第２の実施形態の携帯端末装置１０の構成を示すブロック図である。
【図４】第２の実施形態の携帯端末装置１０の動作を示すフローチャートである。
【図５】第３の実施形態の無線通信システムの構成を示すブロック図である。
【図６】第３の実施形態の携帯端末装置１０の動作を示すフローチャートである。
【発明を実施するための形態】
【００１４】
本発明を実施するための形態について図面を参照して詳細に説明する。
【００１５】
（第１の実施形態）
図１は、第１の実施形態の無線通信装置の構成を示すブロック図である。第１の実施形態の無線通信装置１はユーザが携帯する携帯型の通信端末である。ここでは一例として、同じ構成の無線通信装置１を持ったユーザ同士が待ち合わせを行うものとし、無線通信装置１はそれを支援するものとする。
【００１６】
図１を参照すると、無線通信装置１は、取得部２、無線通信部３、および処理部４を有している。
【００１７】
取得部２は、自装置の位置を示す自装置位置情報を取得する。自装置の位置を取得する方法は一例としてＧＰＳを用いた方法である。
【００１８】
無線通信部３は、待ち合わせの相手であるユーザが携帯している無線通信装置１（他装置）から受信される無線信号の受信信号強度を測定する。ここでは一例として、無線通信部３は無線ＬＡＮの通信を行う通信部であるとする。
【００１９】
処理部４は、自装置位置情報と待ち合わせ場所（目標位置）を示す他装置位置情報とに基づいて、自装置と目標位置の間の距離（第１の距離）を算出し、第１の距離を第１の閾値と比較する。そして、処理部４は、第１の距離が第１の閾値以下であれば、無線通信部３で測定される受信信号強度に基づいて、自装置と他装置の間の距離（第２の距離）を算出し、第２の距離に基づく提示情報をユーザに提示する。第１の閾値は、誤差を含む位置情報に基づく判定に用いるものなので、位置情報の誤差と同程度かそれ以上の値としておくのがよい。また、提示情報は、例えば、画面表示、音、光、バイブレーションなどでユーザに提示される。
【００２０】
本実施形態では、位置情報に基づく支援の後、受信信号強度に基づく支援を行うので、位置情報で特定できるよりも高い精度の支援でユーザが目標に到達することが可能になる。
【００２１】
なお、処理部４は、定期的に第２の距離を算出して、今回算出した第２の距離と前回算出した第２の距離を比較し、自装置と他装置が前回よりも近づいたか、遠ざかったかを提示情報としてユーザに提示することにしてもよい。
【００２２】
また、処理部４は、第２の距離が第２の閾値以下となったら、自装置と他装置が出会ったことを提示情報としてユーザに提示する。第２の閾値は、第１の閾値に比べて十分に小さい値であり、数メートル程度以下の値が好ましい。
【００２３】
また、処理部４は、他装置が無線信号を送出する送信信号強度の情報を予め保持しているか、あるいは他装置から取得する。そして、処理部４は、その送信信号強度と受信信号強度とに基づいて第２の距離を算出すればよい。送信信号強度と受信信号強度の差分が無線伝送路での減衰であり、その減衰量は無線伝送路の距離に依存するので、減衰量から距離を算出することができる。また、処理部４は、その送信信号強度に基づいて第２の閾値を決定すればよい。受信信号強度が送信信号強度から一定減衰の範囲に入ったら、装置間の距離が一定範囲内に近づいたと判断できる。
【００２４】
また、処理部４は、第１の距離が第１の閾値以下と判定したことを条件として、無線通信部３を起動することにしてもよい。そうすることで、無線通信を必要最小限に抑え、消費電力を抑制することができる。
【００２５】
また、処理部４は、第１の距離が第１の閾値以下と判定すると、無線通信部３を起動して公衆無線ＬＡＮにおける近傍の最も電界強度の強い第１のアクセスポイントにアクセスさせることにしてもよい。第１のアクセスポイントと他装置がアクセスしている公衆無線ＬＡＮの第２のアクセスポイントとが同じであれば、処理部４は第２の距離に基づく提示情報を提示するとよい。また、第１のアクセスポイントと第２のアクセスポイントが異なれば、処理部４は、第１のアクセスポイントと第２のアクセスポイントの位置関係に基づいて、自装置を第２のアクセスポイントに近づけるための提示情報を提示するとよい。その場合、処理部４は、自装置が第２のアクセスポイントに近づき、第２のアクセスポイントからの無線信号の電界強度が最も強くなった後に、第２の距離に基づく提示情報を提示すればよい。
【００２６】
第１の実施形態は本発明の基本的構成を備えた実施形態であったが、以下、より具体的な構成の実施形態について説明する。
【００２７】
（第２の実施形態）
図２は、第２の実施形態の無線通信システムの構成を示すブロック図である。図２を参照すると、無線通信システムは携帯端末装置１０、２０とＧＰＳ衛星３０を有している。携帯端末装置１０、２０は同じ構成であり、ＧＰＳ衛星３０からの電波を受信して自身の位置を検出する機能と、携帯端末装置同士で近距離の無線通信を行う機能を備えている。
【００２８】
図３は、第２の実施形態の携帯端末装置１０の構成を示すブロック図である。図３を参照すると、携帯端末装置１０は、無線回路１２、位置情報取得回路１３、近距離無線回路１４、処理部１５、表示制御部１６、ＬＥＤ（Ｌｉｇｈｔ  Ｅｍｉｔｔｉｎｇ  Ｄｉｏｄｅ）制御部１７、バイブレータ制御部１８、メモリ１９、表示部２０、ＬＥＤ部２１、およびバイブレータ部２２を有している。処理部１５は、一例として、ソフトウェアプログラムを実行するプロセッサであり、処理部１５のバス２３に表示制御部１６、ＬＥＤ制御部１７、バイブレータ制御部１８、およびメモリ１９が接続されている。
【００２９】
メモリ１９は、処理部１５が実行するための各種の制御用プログラムや処理に利用するユーザデータなどを格納した書き換え可能なメモリと、処理部１５がプログラムを実行する上で一時的に必要とされるデータを格納するメモリにて構成されている。
【００３０】
表示部２０は液晶パネルや有機ＥＬ等の表示装置である。表示制御部１６は、表示部２０の表示を制御する回路である。
【００３１】
ＬＥＤ部２１は、ＬＥＤを点灯させることでインジケータ等の提示を行う装置である。ＬＥＤ制御部１７は、ＬＥＤ部２１の点灯および消灯を制御する回路である。
【００３２】
バイブレータ部２２は、携帯端末装置１０に振動（バイブレーション）を発生させる装置である。バイブレータ制御部１８は、バイブレータ部２２を制御して、着信通知時などにバイブレーションを発生させる回路である。
【００３３】
無線回路１２は、アンテナを介して通話やデータ通信の無線信号を送受信する回路である。
【００３４】
位置情報取得回路１３は、ＧＰＳ衛星３０からの電波を受信して自装置の位置情報を取得する回路である。
【００３５】
近距離無線回路１４（Ｂｌｕｅｔｏｏｔｈ／Ｗ−ＬＡＮ）は、アンテナを介して他の携帯端末装置２０と近距離無線通信の無線信号を送受信する回路である。
【００３６】
図４は、第２の実施形態の携帯端末装置１０の動作を示すフローチャートである。携帯端末装置１０のユーザと携帯端末装置２０のユーザが待ち合わせをするものとし、待ち合わせ場所の位置情報は携帯端末装置１０、２０に予め設定されているものとする。
【００３７】
まず、携帯端末装置１０では、位置情報取得回路１３が起動され、自装置の位置情報を取得する（ステップＳ１）。次に、処理部１５が、その位置情報と、予め設定した待ち合わせ場所の位置情報とを比較し、待ち合わせ場所に到達したか否か判定する（ステップＳ２）。自装置の位置と待ち合わせ場所の距離が所定の閾値（到達判定距離）より近ければ、処理部１５は、待ち合わせ場所に到達したと判定する。自装置の位置と待ち合わせ場所の距離が到達判定距離より遠ければ、処理部１５はステップＳ１に戻って処理を繰り返す。
【００３８】
待ち合わせ場所に到達したと判定すると、処理部１５は、近距離無線回路１４を起動して携帯端末装置２０からの信号の電界強度測定を開始する（ステップＳ３）。なお、携帯端末装置１０には、近距離無線通信において待ち合わせ相手の携帯端末装置２０からの信号が識別できるように携帯端末装置２０の識別情報が予め設定されている。
【００３９】
このとき処理部１５は、自装置（携帯端末装置１０）と他装置（携帯端末装置２０）が出会ったと判断するための第２の閾値として電界強度値Ｃを設定する。電界強度値Ｃとして、携帯端末装置１０が携帯端末装置２０と直近で近距離通信したときの電界強度値を保持しておいた値を用いてもよい。
【００４０】
処理部１５は、継続的に携帯端末装置２０からの受信信号の電界強度を測定し、最新の測定データＢと１回前の測定データＡを表示制御部１６経由で表示部２０に表示させる（ステップＳ４）。更に、処理部１５は、最新の測定データＢと１回前の測定データＡを比較する（ステップＳ５）。
【００４１】
最新の測定データＢが一回前の測定データＡよりも大きいと判定されたら、処理部１５は、前回よりも携帯端末装置２０に近づいたことをユーザに通知する（ステップＳ６）。その通知は、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて通知される。
【００４２】
また、最新の測定データＢが一回前の測定データＡよりも小さいと判定されたら、処理部１５は、前回よりも携帯端末装置２０から遠ざかったことをユーザに通知し（ステップＳ９）、ステップＳ４に戻る。その通知も、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて、接近したときとは異なる態様で通知される。
【００４３】
ステップＳ６の次に、処理部１５は、最新の測定データＢを、予め設定しておいた電界強度値Ｃと比較する（ステップＳ７）。最新の測定データＢが電界強度値Ｃよりも大きければ、処理部１５は、携帯端末装置２０を所有している待ち合わせ相手が直近にいることをユーザに通知して（ステップＳ８）、処理を終了する。その通知も、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて通知される。また、最新の測定データＢが電界強度値Ｃよりも小さければ、処理部１５はステップＳ４に戻る。
【００４４】
（第３の実施形態）
図５は、第３の実施形態の無線通信システムの構成を示すブロック図である。図３を参照すると、本実施形態の無線通信システムは、公衆無線ＬＡＮの無線アクセスポイント（ＡＰ）２４、２５、２６がある点で、図２に示した第２の実施形態のものと異なる。本実施形態の携帯端末装置１０は図３に示した第２の実施形態のものと同じ構成である。
【００４５】
第３の実施形態では、待ち合わせ場所が駅構内、展示会会場、競技場等の公衆無線ＬＡＭ（Ｗ−ＬＡＮ）環境が存在している場所であることを想定している。そして、ＡＰ２４、２５、２６のうちどのＡＰへアクセスしているかの情報とＡＰの設置位置情報を元に、携帯端末装置１０のユーザを待ち合わせ相手の携帯端末装置２０がアクセスしているＡＰへ向かわせるようにナビゲートするという処理が第１の実施形態のものに追加されている。
【００４６】
図６は、第３の実施形態の携帯端末装置１０の動作を示すフローチャートである。携帯端末装置１０のユーザと携帯端末装置２０のユーザが待ち合わせをするものとし、待ち合わせ場所の位置情報は携帯端末装置１０、２０に予め設定されているものとする。
【００４７】
まず、携帯端末装置１０では位置情報取得回路１３が起動され、位置情報を取得する（ステップＳ１０）。次に、処理部１５が、その位置情報と、予め設定した待ち合わせ場所の位置情報とを比較し、待ち合わせ場所に到達したか否か判定する（ステップＳ１１）。
【００４８】
自装置の位置と待ち合わせ場所の距離が所定の閾値（到達判定距離）より近ければ、処理部１５は、待ち合わせ場所に到達したと判定する。自装置の位置と待ち合わせ場所の距離が到達判定距離より遠ければ、処理部１５はステップＳ１０に戻って処理を繰り返す。
【００４９】
待ち合わせ場所に到達したと判定すると、処理部１５は、近距離無線回路１４を起動して近傍の最も電界強度の強いＡＰにアクセスする（ステップＳ１２）。
【００５０】
処理部１５は、携帯端末装置２０と通信を行って携帯端末装置２０がアクセスしているＡＰの情報を取得し、自装置がアクセスしているＡＰと携帯端末装置２０がアクセスしているＡＰと同じか否か判定する（ステップＳ１３）。なお、処理部１５が、携帯端末装置２０がアクセスしているＡＰの情報を取得する方法は特に限定されないが、例えば、処理部１５は、ＡＰを経由した近距離無線通信を用いて携帯端末装置２０とデータ通信し、携帯端末装置２０がアクセスしているＡＰの情報を取得することにしてもよい。あるいは、処理部１５は、携帯電話網を経由する通信で携帯端末装置２０と通信し、携帯端末装置２０がアクセスしているＡＰの情報を取得してもよい。
【００５１】
自装置が携帯端末装置２０と違うＡＰへアクセスしている場合、処理部１５は、携帯端末装置２０がアクセスしているＡＰの設置位置を示す位置情報を元に、自装置を携帯端末装置２０がアクセスしているＡＰへ向かうようにナビゲートし（Ｓ１４）、ステップＳ１３に戻る。
【００５２】
自装置が携帯端末装置２０と同じＡＰへアクセスしている場合、処理部１５は、無線ＬＡＮで携帯端末装置２０を検索し、携帯端末装置２０からの無線信号の電界強度の測定を開始する（ステップＳ１５）。その際、処理部１５は、自装置と携帯端末装置２０が出会ったと判断するための閾値として電界強度値Ｃを設定する。
【００５３】
処理部１５は、継続的に携帯端末装置２０からの受信信号の電界強度を測定し、最新の測定データＢと１回前の測定データＡを表示制御部１６経由で表示部２０に表示させる（ステップＳ１６）。更に、処理部１５は、最新の測定データＢと１回前の測定データＡを比較する（ステップＳ１７）。
【００５４】
最新の測定データＢが一回前の測定データＡよりも大きいと判定されたら、処理部１５は、前回よりも携帯端末装置２０に近づいたことをユーザに通知する（ステップＳ１９）。その通知は、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて通知される。
【００５５】
また、最新の測定データＢが一回前の測定データＡよりも小さいと判定されたら、処理部１５は、前回よりも携帯端末装置２０から遠ざかったことをユーザに通知し（ステップＳ１８）、ステップＳ１６に戻る。その通知も、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて、接近したときとは異なる態様で通知される。
【００５６】
ステップＳ１９の次に、処理部１５は、最新の測定データＢを、予め設定しておいた電界強度値Ｃと比較する（ステップＳ２０）。最新の測定データＢが電界強度値Ｃよりも大きければ、処理部１５は、携帯端末装置２０を所有している待ち合わせ相手が直近にいることをユーザに通知して（ステップＳ２１）、処理を終了する。その通知も、表示制御部１６経由での表示部２０への表示、ＬＥＤ制御部１７経由でのＬＥＤ部２１への表示、バイブレータ制御部１８経由でのバイブレータ部２２のバイブレーションの１つあるいは複数または全てを用いて通知される。また、最新の測定データＢが電界強度値Ｃよりも小さければ、処理部１５はステップＳ１６に戻る。
【００５７】
本実施形態では、ＧＰＳを用いて取得した位置情報に加え、公衆無線ＬＡＮのアクセスポイントの位置情報を用いて支援を行うので、より高い精度の支援でユーザを目標に到達させることができる。
【００５８】
なお、第１の実施形態で例示した無線通信装置および第２、３の実施形態で例示した携帯端末装置として、携帯電話機、ハンディナビゲーション装置、携帯型ゲーム機など様々な装置が該当する。
【００５９】
また、上述の実施形態では、自装置と他装置が出会ったと判断するための第２の閾値（電界強度値Ｃ）として、携帯端末装置同士が過去に直近で近距離通信したときの電界強度値を予め保持しておいた値を用いる例を示した。しかし、本発明がこれに限定されるものではなく、他に様々な方法が考えられる。他の例として、待ち合わせ場所についた携帯端末装置が近距離通信の受信電界強度の測定を開始するとき、相互に接続して送信電界強度を通知し合うことにしてもよい。その場合、携帯端末装置は、相手から通知された送信電界強度を所定値だけ減衰させた値を第２の閾値（電界強度値Ｃ）として設定することにしてもよい。更に他の例として、ユーザ同士が待ち合わせを約束し、相手の携帯端末装置の情報を自分の携帯端末装置に設定するときに第２の閾値（電界強度値Ｃ）を設定することにしてもよい。その場合、ユーザが値を手操作で入力することにしてもよく、携帯端末装置同士が携帯電話網を介した通信を行い、相互に通知し合うことにしてもよい。
【００６０】
なお、上述した実施形態では、待ち合わせを例にとり、双方が所有する同様の構成を備えた携帯端末装置が相手の携帯端末装置からの無線信号の減衰に基づいて相手との距離を算出し、双方のユーザが互いに近づくように移動する場合を例示したが、本発明はこれに限定されるものではない。他の例として、携帯端末装置のユーザが行こうとする目的地に予め近距離無線通信の信号を送出する固定装置を設置しておき、携帯端末装置はその固定装置からの信号の減衰に基づいて固定装置との距離を算出し、ユーザが固定装置に近づくように移動することにしてもよい。その場合、固定装置は、待ち合わせによく利用される場所、観光スポット、訪問者が多い場所などに設置することが考えられる。
【００６１】
また、第２、３の実施形態では、携帯端末装置１０は相手の携帯端末装置２０に前回より近づいたか、遠ざかったかを通知することにしたが、本発明がこれに限定されるものではない。他の例として、携帯端末装置１０はその時点での相手の携帯端末装置２０との距離あるいは距離範囲を通知することしてもよい。
【００６２】
以上、本発明の実施形態について述べてきたが、本発明は、これらの実施形態だけに限定されるものではなく、本発明の技術思想の範囲内において、これらの実施形態を組み合わせて使用したり、一部の構成を変更したりしてもよい。
【符号の説明】
【００６３】
１  無線通信装置
１０  携帯端末装置
１２  無線回路
１３  位置情報取得回路
１４  近距離無線回路
１５  処理部
１６  表示制御部
１７  ＬＥＤ制御部
１８  バイブレータ制御部
１９  メモリ
２  取得部
２０  携帯端末装置
２１  ＬＥＤ部
２２  バイブレータ部
２３  バス
２４  ＡＰ、
３  無線通信部
３０  ＧＰＳ衛星
４  処理部
【図１】
2012175341.tif 000003
【図２】
2012175341.tif 000004
【図３】
2012175341.tif 000005
【図４】
2012175341.tif 000006
【図５】
2012175341.tif 000007
【図６】
2012175341.tif 000008